(57)【特許請求の範囲】
【請求項１】
アングル材を直方体に組み立ててメッキ処理を施すことにより筺体のアングルフレームを構成し、前面に開閉式の扉、裏面に裏面パネル、側面に側面パネル、天井に天井パネルを取付けるとともに内部に制御機器を収納した、導電性部材により形成された制御機器収納装置において、側面パネルおよび天井パネルは同一板厚とし、側面パネルには前縁部及び後縁部並びに上縁部に内方側に折曲したフランジ片を形成するとともに、天井パネルには後縁部のみに下方側に折曲したフランジ片を形成し、側面パネルの前縁部のフランジ片、後縁部のフランジ片及び上縁部のフランジ片並びに天井パネルの後縁部のフランジ片をアングルフレームに取付け、アングルフレームなどの非塗装部を隠すようにしたことを特徴とする制御機器収納装置。
【請求項２】
裏面パネルの内面側は塗装レスとし、その裏面パネルの内面に、アングルフレームにおける側面パネルのフランジで覆われずに露出している箇所に接触する、裏面パネルと同じ板厚の導電性部材からなる導通サポートを装着し、上記裏面パネルによりアングルフレームの非塗装部を隠すとともにアングルフレームと抵抗値がほぼ零の導通性を有するようにしたことを特徴とする、請求項１記載の制御機器収納装置。
【請求項３】
裏面パネルは複数枚により構成され、各裏面パネルに設けられている導通サポートは裏面パネルの分割端部より少し後退した位置まで取り付けられており、隣接する裏面パネルのいずれか一方のパネルの分割端部には、裏面パネルと同じ板厚の裏面補助パネルが裏面パネル端部より少し露出するように取り付けられ、その裏面補助パネルが隣接する他の裏面パネルに一部重なり合うようにしてあることを特徴とする、請求項２記載の制御機器収納装置。
【請求項４】
裏面パネルは複数枚により構成され、その各裏面パネルの分割端部にはメッキ処理が施されたＬ字状パネルが取り付けられ、いずれか一方の裏面パネルのＬ字状パネルに取り付けられたシールドクリップを介して隣接する裏面パネルが密着するようにしてあることを特徴とする、請求項２記載の制御機器収納装置。
【請求項５】
４隅の支柱フレームの上下部にアングルフレームの幅より大きい幅を有する導電性部材で構成されたサポート片を溶着し、その後メッキ処理を施した後、その支柱フレームを上記サポート片を介して他のフレーム部材と連結することを特徴とする、請求項１記載の制御機器収納装置。
【請求項６】
側面パネル或いは裏面パネルには、支柱フレームに装着されたサポート片に他のフレームを固定するボルト・ナットが装通される穴を設けるとともに、上記他のフレームの表面とボルト・ナットとの間には上記側面パネル或いは裏面パネルと同色に塗装されたスペーサが装着されていることを特徴とする、請求項５記載の制御機器収納装置。
【請求項７】
扉パネルは内面が塗装レスであり、その扉パネルの内面には、扉の全閉時にアングルフレームの前面の露出部に対して密着する導電性部材によって構成されたシールドクリップが装着されていることを特徴とする、請求項１乃至６のいずれかに記載の制御機器収納装置。
【請求項８】
扉パネルは、内面が塗装レスで、複数に分割されて外側に開く複数枚の扉で構成されており、その扉パネルの内面には、扉の全閉時にアングルフレームの前面の露出部に対して密着するシールドクリップが装着され、さらに、隣接する扉パネルのいずれか一方の扉パネルの先端縁部が他方の扉パネルの内側に入るように曲げ加工が施されており、その曲げ加工部と他方の扉パネルの内面のいずれか一方に、扉の全閉時に隣接する扉パネル同士を密着させる導電性部材で形成されたシールドクリップが装着されていることを特徴とする、請求項１乃至６のいずれかに記載の制御機器収納装置。
【請求項９】
複数の筺体を互いに隣接して設置する場合、隣り合わせになる面の塗装された２枚の側面パネルを除去し、隣接する筺体間に１枚の導電性部材でメッキ処理された非塗装の筺体間パネルを介装し、互いに隣接する筺体間を密着接続することを特徴とする、請求項１乃至８のいずれかに記載の制御機器収納装置。
【発明の詳細な説明】
【０００１】
【発明の属する技術分野】
本発明は、インバーター制御に伴う半導体素子のスイッチング動作時に発生する放射ノイズを低減することができるようにした、インバーター制御装置の如き制御機器の収納装置に関する。
【０００２】
【従来の技術】
近年では、電子技術の発達が著しく、コンピューターなどの電子情報処理装置に限らず、家庭で用いられているようなあらゆる電子機器や医療機器に至るまで電子回路が組み込まれており、外部への放射ノイズの影響がこれらの電子機器の誤作動を誘発する可能性がある。しかして、このような事態になれば、大きな社会的影響を及ぼすこととなる。
【０００３】
インバーター制御に使用する半導体素子として、サイリスタからトランジスタ、ＩＧＢＴと変遷し、素子の高速スイッチングが可能となっている。そして、スイッチングロスの低減によりインバーター制御装置の小型化やキャリア周波数の増大により制御性能の向上が図られている。
【０００４】
半導体の高速スイッチング化に伴い、スイッチング時のｄV／ｄt が急激に増加する。これに伴い、装置または電源と対地間に存在する浮遊容量により漏れ電流が増加し、伝導ノイズによる機器誤動作が発生することがある。この伝導ノイズに対してはノイズフイルターを電源ラインに入れて対策を取っている。
【０００５】
【発明が解決しようとする課題】
筺体に収納されたインバーター制御装置の半導体素子のスイッチング時において、ｄV／ｄt が発生したときには、空中に放射ノイズが放射される。したがって、インバーター制御装置の筺体に隙間があるときは、放射ノイズは、その隙間を通って外部に放出されることになる。また、インバーター制御装置の筺体とパネル類の金属同士の接触がほぼ０Ωになっていない場合、その接触面に抵抗値が発生し、インバーター制御装置に発生したｄV／ｄt による対地間の電位差と、その抵抗面を通って発生したパネル類の電位差に差が生じて、その間を商用周波数の漏洩電流が流れる。このときに、パネル面を介して放射ノイズが放出される場合がある。この放射ノイズにより前記のような機器の誤動作を発生させたりする。
【０００６】
このことから、従来は、制御装置の外部への放射ノイズを低減させる手法として、制御装置筺体全体を同電圧化（アース）させるため、制御装置筺体の扉パネル、側面パネル、天井パネル、裏面パネルの互いの接触部分をメッキ処理、塗装マスキング処理を行いそれぞれを密着接続させて、インバーター制御装置の筺体とパネル類の抵抗低減によるパネル間の同電位化を図り、放射ノイズ対策を取ってきた。しかしながら、このような場合、塗装処理やメッキ処理の作業が煩雑になるとともに、パネル材料などの制約も受けるようになり、コストアップ、設計制約、納期遅れ、パネル構成の複雑化を余儀なくされることがあった。
【０００７】
本発明は、このような点に鑑み、インバーター制御装置等の制御機器からの放射ノイズの低減効果を損ねることが無く、塗装処理やメッキ処理を低減し、主に作業性向上、パネル構成の簡素化、見栄えの向上を図った、インバーター制御装置の如き制御機器の収納装置を得ることを目的とする。
【０００８】
【課題を解決するための手段】
請求項１に係る発明は、アングル材を直方体に組み立ててメッキ処理を施すことにより筺体のアングルフレームを構成し、前面に開閉式の扉、裏面に裏面パネル、側面に側面パネル、天井に天井パネルを取付けるとともに内部に制御機器を収納した、導電性部材により形成された制御機器収納装置において、側面パネルおよび天井パネルは同一板厚とし、側面パネルには前縁部及び後縁部並びに上縁部に内方側に折曲したフランジ片を形成するとともに、天井パネルには後縁部のみに下方側に折曲したフランジ片を形成し、側面パネルの前縁部のフランジ片、後縁部のフランジ片及び上縁部のフランジ片並びに天井パネルの後縁部のフランジ片をアングルフレームに取付け、アングルフレームなどの非塗装部を隠すようにしたことを特徴とする。
【０００９】
請求項２に係る発明は、請求項１に係る発明において、裏面パネルの内面側は塗装レスとし、その裏面パネルの内面に、アングルフレームにおける側面パネルのフランジで覆われず露出している箇所に接触する、裏面パネルと同じ板厚の導電性部材からなる導通サポートを装着し、上記裏面パネルによりアングルフレームの非塗装部を隠すとともにアングルフレームと抵抗値がほぼ零の導通性を有するようにしたことを特徴とする。
【００１０】
請求項３に係る発明は、請求項２に係る発明において、裏面パネルは複数枚により構成され、各裏面パネルに設けられている導通サポートは裏面パネルの分割端部より少し後退した位置まで取り付けられており、隣接する裏面パネルのいずれか一方のパネルの分割端部には、裏面パネルと同じ板厚の裏面補助パネルが裏面パネル端部より少し露出するように取り付けられ、その裏面補助パネルが隣接する他の裏面パネルに一部重なり合うようにしてあることを特徴とする。
【００１１】
請求項４に係る発明は、請求項２に係る発明において、裏面パネルは複数枚により構成され、その各裏面パネルの分割端部にはメッキ処理が施されたＬ字状パネルが取り付けられ、いずれか一方の裏面パネルのＬ字状パネルに取り付けられたシールドクリップを介して隣接する裏面パネルが密着するようにしてあることを特徴とする。
【００１２】
請求項５に係る発明は、請求項１に係る発明において、４隅の支柱フレームの上下部にアングルフレームの幅より大きい幅を有する導電性部材で構成されたサポート片を溶着し、その後メッキ処理を施した後、その支柱フレームを上記サポート片を介して他のフレーム部材と連結することを特徴とする。
【００１３】
請求項６に係る発明は、請求項５に係る発明において、側面パネル或いは裏面パネルには、支柱フレームに装着されたサポート片に他のフレームを固定するボルト・ナットが装通される穴を設けるとともに、上記他のフレームの表面とボルト・ナットとの間には上記側面パネル或いは裏面パネルと同色に塗装されたスペーサが装着されていることを特徴とする。
【００１４】
請求項７に係る発明は、請求項１乃至６のいずれかに記載の発明において、扉パネルは内面が塗装レスであり、その扉パネルの内面には、扉の全閉時にアングルフレームの前面の露出部に対して密着する導電性部材によって構成されたシールドクリップが装着されていることを特徴とする。
【００１５】
請求項８に係る発明は、請求項１乃至６のいずれかに記載の発明において、扉パネルは、内面が塗装レスで、複数に分割されて外側に開く複数枚の扉で構成されており、その扉パネルの内面には、扉の全閉時にアングルフレームの前面の露出部に対して密着するシールドクリップが装着され、さらに、隣接する扉パネルのいずれか一方の扉パネルの先端縁部が他方の扉パネルの内側に入るように曲げ加工が施されており、その曲げ加工部と他方の扉パネルの内面のいずれか一方に、扉の全閉時に隣接する扉パネル同士を密着させる導電性部材で形成されたシールドクリップが装着されていることを特徴とする。
【００１６】
請求項９に係る発明は、請求項１乃至８のいずれかに記載の発明において、複数の筺体を互いに隣接して設置する場合、隣り合わせになる面の塗装された２枚の側面パネルを除去し、隣接する筺体間に１枚の導電性部材でメッキ処理された非塗装の筺体間パネルを介装し、互いに隣接する筺体間を密着接続することを特徴とする。
【００１７】
【発明の実施の形態】
以下、添付図面を参照して本発明の実施の形態について説明する。
【００１８】
図１は、本発明の制御機器収納装置の第１の実施の形態を示す分解斜視図であって、アングル材を直方体に組み立ててメッキ処理を施すことにより筺体のアングルフレーム１が構成されている。上記アングルフレーム１の左右両側面、天井、及び裏面には、それぞれ亜鉛メッキ鋼板などの予めメッキ処理が施された導電性部材により構成され、外面のみに塗装が施された側面パネル２、天井パネル３、及び裏面パネル４が装着されている。また、前面には開閉式の扉（図示せず）が取り付けられている。
【００１９】
側面パネル２には、前縁部及び後縁部、並びに上縁部に内方側に折曲されたフランジ片２a、２b及び２cが形成されている。また、天井パネル３にはその後縁部に下方側に折曲されたフランジ片３aが形成されている。
【００２０】
しかして、側面パネル２の前後のフランジ片２a、２bをアングルフレーム１の前後の支柱フレーム１a、１aの外面に密着係合させるとともに、上縁部のフランジ片２cをアングルフレーム１の前後方向に延びる上部フレーム１bの上面に密接係合させ図示しないネジによって固着することによって、側面パネル２がアングルフレーム１に取り付けられている。また、アングルフレーム１の天井部にはそのアングルフレーム１の左右方向に延びる後方上部フレーム１cの裏面側にフランジ片３aが密接係合するように天井パネル３が装着され、さらにアングルフレーム１の裏面側に裏面パネル４が装着されている。この場合、天井パネル３のフランジ片３aの両端部には側面パネル２のフランジ片２bに重なり合わないように切り欠き３bが設けられている。
【００２１】
図２は、図１におけるアングルフレーム１と側面パネル２、裏面パネル４の接続状態を上部から見た詳細図であり、側面パネル２のフランジ片２a、２b、２cによってアングルフレーム１の外面部が覆われているので、側面パネル２を取り付けた状態に於いては、側面及び上面方向から非塗装であるアングルフレーム１は露出しなくなり、この上から裏面パネル４を取り付けることにより、裏面側からの露出もなくなる。
【００２２】
また、図３は図１におけるアングルフレーム１と裏面パネル４および天井パネル３の接続状態を見た断面図であって、天井パネル３の後縁部にアングルフレーム１の後方上部フレーム１ｃに密着するフランジ片３aが設けられているので、天井パネル３の取り付け状態時においてはアングルフレーム１の外面が露出することもなくなる。
【００２３】
このようにアングルフレーム１に対して上記各パネルを装着することにより、導電性を目的とする非塗装部が露出することを抑えることができ、非塗装部の機能を保持しつつ、見栄をよくすることができる。また余分の塗装を行わないので、塗装の作業性が向上しコストダウンを図ることもできる。なお、上記実施の形態においては、天井パネル３のフランジ片３aの両端部に切り欠きを設けたものを示したが、側面パネル２のフランジ片２b、或いはその両者に切り欠きを設け、フランジ片２b、３a が同一平面内にあるようにしてもよい。
【００２４】
図４は、本発明の第２の実施の形態を示す分解斜視図であり、裏面パネル４の内面にはその外周端部から若干内周寄りで周方向に延びる、側面パネル２のフランジと同じ厚さの導通サポート５が溶接されている。そして、この導通サポート５が、アングルフレーム１における側面パネル２のフランジ片２bで覆われず露出している箇所に密接するようにしてある。その他の点は図１のものと同一である。
【００２５】
図５は、図４におけるアングルフレーム１と側面パネル２、裏面パネル４の接続状態を示す平断面図であり、側面パネル２のフランジ片２b の幅がアングルフレーム１の幅より小さい場合には、側面パネル２の取り付け状態の時にも、アングルフレーム１が一部露出するが、この露出部分に、裏面パネル４に設けられた導通サポート５が密着するようにしてある。
【００２６】
図６は、図４におけるアングルフレーム１と裏面パネル４、天井パネル３の接続状態を示す側断面図であり、天井パネル３のフランジ片３aの幅がアングルフレーム１の幅より小さい場合には、天井パネル３の取り付け状態の時にも、アングルフレーム１が一部露出するが、この露出部分に、裏面パネル４に設けられた導通サポート５が密着するようにしてある。
【００２７】
しかして、この場合にも非塗装であるアングルフレーム１を露出させることがなく、裏面パネル４をアングルフレーム１に密着させることができ、それぞれがほぼ電気抵抗ゼロになり同電位化され、外部への放射ノイズを低減することができる。また、塗装のマスキングも行う必要がないので、作業性が向上しコストダウンも可能となる。
【００２８】
図７は、本発明の第３の実施の形態を示す分解斜視図であって、裏面パネル４が上下に２分割され、上側裏面パネル４a、下側裏面パネル４bにより構成されている。図８に示すように、上側裏面パネル４aに取り付けられている導通サポート５aの下端は、パネル端よりやや上部でカットされており、下側裏面パネル４bに於いても同様に導通サポート５bの上端がパネル端よりやや下部でカットされており、その上部に上側裏面パネル４aの下端部内面に密着する裏面補助パネル６が装着されている。
【００２９】
図９は、図７における上下裏面パネル５a、５bの接続状態を示す断面図であり、図１０は図８の矢印Ａ部の拡大図である。図１０に示すように、上側裏面パネル４a、下側裏面パネル４bは裏面補助パネル６を含めて表面のみ塗装されており、上側裏面パネル４aと下側裏面パネル４bをアングルフレーム１に取り付けたときに、下側裏面パネル４b に取り付けられた裏面補助パネル６が、上側裏面パネル４aの内側の導通サポート５aと密接するようになり、上側裏面パネル４aと下側裏面パネル４b間の隙間から内部及びアングルフレーム１等の非塗装部が露出しないようにしてある。また、裏面補助パネル６は、メッキ処理して取り付け、上下裏面パネル同士の同電位化をさらに向上させてもよい。その他の点は、図４に示すものと同一である。
【００３０】
しかして、上述のように、裏面パネル４を分割構造にした場合に於いても、分割部に於いて導通などを目的とした非塗装部を露出することがなく、また、アングルフレームと裏面パネルとの導通の機能も損ねることなく構成することができる。また、外部への放射ノイズを低減することもできる。
【００３１】
図１１は、本発明の第４の実施の形態を示す図であり、裏面パネル４が上下に２分割され、上側裏面パネル４a、下側裏面パネル４bにより構成されている。図１２及び図１３に示すように、上側裏面パネル４aに取り付けられている導通サポート５aの下端は、パネル端よりやや上部でカットされており、下側裏面パネル４bに於いても同様に導通サポート５bの上端がパネル端よりやや下部でカットされている。
【００３２】
また、上側裏面パネル４a及び下側裏面パネル４bの分割端部に於いては、それらの内面側に導電性を有するＬ字状パネル７a、７bが溶接により装着されており、下側裏面パネル４bに設けられたＬ字状パネル７bには導電性部材からなるＳ字状のシールドクリップ８が取り付けられている。そして、図１２に示すように、上側裏面パネル４aと下側裏面パネル４bがアングルフレーム１に取り付けられたとき上記シールドクリップ８が上側裏面パネル４aに設けられたＬ字状パネル７aに押圧されるようにしてある。
【００３３】
しかして、裏面パネル４を分割構造にした場合に於いても、上側裏面パネル４a及び下側裏面パネル４b間にシールドクリップ８が設けられているので、それらの間で十分に同電位化が図られ、また隙間もほとんどなくなり外部への放射ノイズを防ぐことができる。さらに、Ｌ字状パネル７a、７bをやや裏面パネル４a、４bの端部より内側に設けているので、シールドクリップ８を取り付けても、シールドクリップ８が外部に露出することがなく、見栄えが損なわれることもない。
【００３４】
なお、上記第３及び第４の実施の形態においては裏面パネルを上下に２分割したものを示したが、２個以上の複数に分割してもよく、また、左右に分割してもよい。
【００３５】
図１４は本発明の第５の実施の形態を示すアングルフレーム１の分解図であり、アングルフレーム１の鉛直方向に立つ４隅の支柱フレーム１０の上端部及び下端部にそれぞれ矩形状に形成された天井アングルフレーム１１及び底面アングルフレーム１２が連結されている。すなわち、上記各支柱フレーム１０の上端及び下端には、図１５に示すように、横断面がＬ字状のサポート片１３が支柱フレーム１０の端部から若干突出するように溶着されており、図１６に上端部のみを示すように、このサポート片１３を天井アングルフレーム１１及び底面アングルフレーム１２の隅角部に係合し、天井アングルフレーム１１或いは底面アングルフレーム１２のボルト穴及び上記サポート片１３に設けられたボルト取り付け穴１４にボルト１５を挿通することにより、支柱フレーム１０が天井アングルフレーム１１及び底面アングルフレーム１２に連結されている。なお、Ｌ字状のサポート片１３は支柱フレーム１０に溶着された後メッキ処理が施されている。
【００３６】
このように、サポート片１３を介して支柱フレーム１０と天井アングルフレーム１１及び底面アングルフレーム１２が連結されているので、フレームを分割構造とすることができ、メッキ処理の作業を簡単なものにすることができ、メッキ処理コストを抑えることができる。
【００３７】
ところで、アングルフレーム１はメッキ処理されており、塗装はされていない。そこで、上記アングルフレーム１に裏面パネル４を取り付けるためには、アングルフレーム１を連結している固定用のボルト１５を避けるように裏面パネル４に穴を設けているため、アングルフレーム１に裏面パネル４を取り付けたときにはアングルフレーム１のメッキ部分が露出してしまう。
【００３８】
このようなことから、天井アングルフレーム１１及び底面アングルフレーム１２の前記Ｌ字状のサポート片１３との連結部の外面に、図１７に示すように、裏面パネル４の外面と同色に塗装され、前記導通サポート５と同じ板厚の矩形板状のスペーサ１６が添着され、そのスペーサ１６の外側からボルト締めされている。そして、裏面パネル４の内面に設けられている導通サポート５が、図１８及び図１９に示すように、上記スペーサ１６と対応する４隅部分だけカットされている。
【００３９】
しかして、裏面パネル４の４隅部にアングルフレーム固定用のボルト１５を避けるための穴１７が設けられていても、上記裏面パネル４をアングルフレーム１に装着した場合には、その穴１７と対応する部分にはスペーサ１６が設けられているので、アングルフレーム１のメッキ部分（非塗装部）が露出することが防止され、しかも裏面パネル４とアングルフレーム１との同電位化を損なうこともない。
【００４０】
図２０(a)は、本発明の収納装置の扉パネル２０を開いた状態を示す斜視図であり、アングルフレーム１の前面に亜鉛メッキ鋼板など予めメッキ処理が施された１枚の扉パネル２０が取り付けられている。この扉パネル２０の内面は非塗装（メッキ処理）で外面は塗装面となっている。上記扉パネル２０の内面には、閉じたときに図２０(a)のアングルフレーム１の斜線部で示すフレーム露出部に接触するフレーム接触部２１が設けられている。すなわち、扉パネル２０の内面にはフレーム露出部と対応する位置に非塗装のクリップ止め用サポート２２が溶接され、そのクリップ止め用サポート２２に、図２１(a)に示すようなＳ字状のシールドクリップ２３が装着されている（図２１(b)）。
【００４１】
しかして、扉パネル２０を閉めた場合にはメッキ処理されたアングルフレーム１に同じくメッキ処理されたシールドクリップ２３がその弾性により密着接触される。したがって、アングルフレーム１及び扉パネル２０は十分導通して、それぞれがほぼ電気抵抗ゼロになり同電位化され、外部への放射ノイズが低減される。また、塗装のマスキングも行う必要がないので、作業性が向上しコストダウンを図ることができる。
【００４２】
図２２は、扉パネル２０の他の実施の形態を示す図であり、扉パネル２０が左扉パネル２０aと右扉パネル２０bの２枚によって構成されている。これらの左右の扉パネル２０a、２０bは亜鉛メッキ鋼板など予めメッキ処理が施された部材によって構成されており、非塗装とされた内面にはフレーム接触部２１が設けられている。また、左扉パネル２０aの先端部が右扉パネル２０bの内側に入るように曲げ加工されており、その曲げ加工部２４と右扉パネル２０bの内面のいずれか一方（図２３に於いては左扉パネル２０aの曲げ加工部２４）に、導電性部材からなるＳ字状のシールドクリップ２５が装着されている。
【００４３】
しかして、左扉パネル２０aと右扉パネル２０bが閉じられると、シールドクリップ２５が他方の扉パネルの非塗装面に密着して接触される。したがって、左扉パネル２０aと右扉パネル２０b及びアングルフレーム１がそれぞれ十分に導通してそれぞれがほぼ電気抵抗ゼロになり同電位化される。
【００４４】
なお、上記実施の形態においては扉パネルを２枚によって構成したものを示したが、２枚以上で構成してもよい。
【００４５】
図２４は本発明の他の実施の形態を示す図であり、一つの筺体に対してもう一つの筺体を密接して設置するようにしたものである。すなわち、互いに隣接する筺体２６ａ、２６ｂの側面パネル、つまり筺体２６aでは右側側面パネル、収納装置２６bでは左側側面パネルをなくし、それらの間に非塗装（メッキ処理）の筺体間パネル２７を介装して互いに連結するようにしてある。
【００４６】
図２５は、上記連結部の断面部分図であって、筺体間パネル２７は側面パネル２と同じ板厚の部材によって構成されており、アングルフレーム１の幅より僅かに小さい曲げ加工が施され、裏面パネル４とアングルフレーム１、筺体間パネル２７が密着して接触するようにしてある。また、筺体２６ａ、２６bのアングルフレーム１と筺体間パネル２７が密着して接触するように連結ボルト２８によって固定されている。
【００４７】
しかして、上記筺体間パネル２７によって両筺体２６a、２６bとアングルフレーム１及び裏面パネル４がそれぞれ十分に導通可能となる。
【００４８】
図２６は、パネルの塗装方法を示す図であり、図２７の斜線部で示すように、表面のみに塗装を施すパネル２８の裏面側端部にマスキング２９を行い、表面側に塗装スプレー３０により塗装を施すようにする。これにより、図２８で斜線で示すように裏面側端部に塗装が回り込むようなことをなくすことができる。
【００４９】
すなわち、本来導通生の要求される箇所に於いて、塗装が一部付いてしまうと、塗装の厚みによりパネルを密着して取り付けることができなくなり、電気抵抗がやや高くなって放射ノイズの防止効果が薄れてしまう。しかしながら、前述のような処置を施すことによって塗装作業のムラの影響もないので、確実に本来の導通生を確保することができる。
【００５０】
【発明の効果】
本発明は上述のように構成したので、アングルフレーム等の導通を目的とした非塗装部を、機能の一部を削ぐような余計な塗装処理を施すことなく隠すことができ、見栄えをよくすることができる。また、筺体との同電位化を図る上で、裏面、側面、天井パネルの塗装マスキング作業が削減され、作業性を向上し、コストダウンを図ることができる。
【図面の簡単な説明】
【図１】本発明の制御機器収納装置の第１の実施の形態の分解斜視図。
【図２】図１におけるアングルフレーム、側面パネル、裏面パネルの接触部の詳細図。
【図３】図１におけるアングルフレーム、裏面パネル、天井パネルの接触部の詳細図。
【図４】本発明の制御機器収納装置の第２の実施の形態の分解斜視図。
【図５】図４におけるアングルフレーム、側面パネル、裏面パネルの接触部の詳細図。
【図６】図４におけるアングルフレーム、裏面パネル、天井パネルの接触部の詳細図。
【図７】本発明の制御機器収納装置の第３の実施の形態の分解斜視図。
【図８】図７に示す上側裏面パネル、下側裏面パネルの内面を示す図。
【図９】図７におけるアングルフレーム、上側裏面パネル、及び下側裏面パネルの接触部を示す断面図。
【図１０】図９の矢印Ａで示す部分の詳細図。
【図１１】本発明の制御機器収納装置の第４の実施の形態の分解斜視図。
【図１２】図１１における上側裏面パネルと下側裏面パネルの接触部を示す断面図。
【図１３】図１１における上側裏面パネルと下側裏面パネルの接触部の分解斜視図。
【図１４】アングルフレームの分解斜視図。
【図１５】Ｌ字状サポート取り付け部の拡大斜視図。
【図１６】支柱フレームと天井アングルフレームとの連結部の斜視図。
【図１７】図１６の他の実施の形態を示す斜視図。
【図１８】裏面パネルの内面図。
【図１９】図１８の矢印Ｂで示す部分の拡大斜視図。
【図２０】（ａ）は扉パネルを開いた状態の斜視図、（ｂ）は扉パネルを閉じた状態の側面図。
【図２１】（ａ）はシールドクリップの斜視図、（ｂ）は図２０における扉パネルとアングルフレームとの接触部の断面図。
【図２２】扉パネルの他の実施に形態を示す図。
【図２３】図２３における左右扉パネルの接触部の断面図。
【図２４】本発明の他の実施の形態を示す図。
【図２５】図２４における収納装置の連結部の断面部分図。
【図２６】パネル塗装状態を示す図。
【図２７】パネル塗装方法の一実施例を示す図。
【図２８】マスキングを施さない場合のパネル塗装状態の例を示す図。
【符号の説明】
１  アングルフレーム
２  側面パネル
３  天井パネル
４  裏面パネル
５  導通サポート
６  裏面補助パネル
７a、７b   Ｌ字状パネル
８、２３、２５  シールドクリップ
１０  支柱フレーム
１１  天井アングルフレーム
１２  底面アングルフレーム
１３  サポート片
１６  スペーサ
２０  扉パネル
２４  曲げ加工部
２６a、２６b   筺体
２７  筺体間パネル
【図１】
0004475839.tif 000002
【図２】
0004475839.tif 000003
【図３】
0004475839.tif 000004
【図４】
0004475839.tif 000005
【図５】
0004475839.tif 000006
【図６】
0004475839.tif 000007
【図７】
0004475839.tif 000008
【図８】
0004475839.tif 000009
【図９】
0004475839.tif 000010
【図１０】
0004475839.tif 000011
【図１１】
0004475839.tif 000012
【図１２】
0004475839.tif 000013
【図１３】
0004475839.tif 000014
【図１４】
0004475839.tif 000015
【図１５】
0004475839.tif 000016
【図１６】
0004475839.tif 000017
【図１７】
0004475839.tif 000018
【図１８】
0004475839.tif 000019
【図１９】
0004475839.tif 000020
【図２０】
0004475839.tif 000021
【図２１】
0004475839.tif 000022
【図２２】
0004475839.tif 000023
【図２３】
0004475839.tif 000024
【図２４】
0004475839.tif 000025
【図２５】
0004475839.tif 000026
【図２６】
0004475839.tif 000027
【図２７】
0004475839.tif 000028
【図２８】
0004475839.tif 000029